(57)【特許請求の範囲】
【請求項１】
開口部を前側に有する外箱と、
上記外箱に取り付けられて上記開口部を開閉する扉と、
上記外箱内に配置された水槽と、
上記水槽内に回転可能に配置され、洗濯物を収容するドラムと、
上記外箱外の通信端末と無線通信を行う無線通信装置と、
上記水槽内への水の供給を制御する給水弁と、
上記給水弁を支持するための支持部材と
を備え、
上記無線通信装置は、上記外箱の上部と上記水槽との間の後側に配置され、
上記支持部材には、上記無線通信装置が上記外箱の後部の近傍に位置するように、上記無線通信装置を保持する保持部が設けられることを特徴とするドラム式洗濯機。
【請求項２】
請求項１に記載のドラム式洗濯機において、
上記ドラム内から出た空気を上記ドラム内に戻すように案内する循環経路と、
上記循環経路内を上記ドラムへ向かって流れる空気を加熱する加熱装置と、
上記循環経路内の空気を上記ドラム内へ流す循環ファンと、
上記循環経路に設けられたフィルタと
を備え、
上記外箱の上部と上記水槽との間の左右方向の一方側に、上記無線通信装置が位置し、かつ、上記外箱の上部と上記水槽との間の左右方向の他方側に、上記フィルタが位置することを特徴とするドラム式洗濯機。
【請求項３】
請求項１に記載のドラム式洗濯機において、
上記支持部材は非金属材料で構成されることを特徴とするドラム式洗濯機。
【請求項４】
請求項１または３に記載のドラム式洗濯機において、
上記無線通信装置は上記保持部に着脱可能に取り付けられることを特徴とするドラム式洗濯機。
【発明の詳細な説明】
【技術分野】
【０００１】
この発明はドラム式洗濯機に関する。
【背景技術】
【０００２】
従来、ドラム式洗濯機としては、開口部を前側に有する外箱と、この外箱に取り付けられ、開口部を開閉する扉とを備えたものがある(例えば特開２０１２−１０５６９４号公報(特許文献１)参照)。
【０００３】
また、上記開口部の近傍には、外箱外の通信端末と無線通信を行う無線通信装置が設けられている。
【先行技術文献】
【特許文献】
【０００４】
【特許文献１】特開２０１２−１０５６９４号公報
【発明の概要】
【発明が解決しようとする課題】
【０００５】
上記従来のドラム式洗濯機では、外箱内のドラム内へ洗濯物を入れたり、ドラム内から洗濯物を出したりするとき、扉が開閉される。このとき、上記開口部の近傍には無線通信装置が設けられているため、無線通信装置は扉の開閉による衝撃を受け易い。
【０００６】
したがって、上記従来のドラム式洗濯機には、機械的な振動で無線通信装置が故障する可能性が高いという問題がある。
【０００７】
そこで、この発明の課題は、無線通信装置が故障する可能性を低減できるドラム式洗濯機を提供することにある。
【課題を解決するための手段】
【０００８】
上記課題を解決するため、この発明のドラム式洗濯機は、
開口部を前側に有する外箱と、
上記外箱に取り付けられて上記開口部を開閉する扉と、
上記外箱内に配置された水槽と、
上記水槽内に回転可能に配置され、洗濯物を収容するドラムと、
上記外箱外の通信端末と無線通信を行う無線通信装置と、
上記水槽内への水の供給を制御する給水弁と、
上記給水弁を支持するための支持部材と
を備え、
上記無線通信装置は、上記外箱の上部と上記水槽との間の後側に配置され、
上記支持部材には、上記無線通信装置が上記外箱の後部の近傍に位置するように、上記無線通信装置を保持する保持部が設けられることを特徴としている。
【０００９】
一実施形態のドラム式洗濯機は、
上記ドラム内から出た空気を上記ドラム内に戻すように案内する循環経路と、
上記循環経路内を上記ドラムへ向かって流れる空気を加熱する加熱装置と、
上記循環経路内の空気を上記ドラム内へ流す循環ファンと、
上記循環経路に設けられたフィルタと
を備え、
上記外箱の上部と上記水槽との間の左右方向の一方側に、上記無線通信装置が位置し、かつ、上記外箱の上部と上記水槽との間の左右方向の他方側に、上記フィルタが位置する。
【００１１】
一実施形態のドラム式洗濯機では、
上記支持部材は非金属材料で構成される。
【００１２】
一実施形態のドラム式洗濯機では、
上記無線通信装置は上記保持部に着脱可能に取り付けられる。
【発明の効果】
【００１３】
この発明のドラム式洗濯機は、外箱の上部と水槽との間の後側に無線通信装置が配置されるので、扉の開閉に起因する悪影響が無線通信装置に及び難く、無線通信装置が故障する可能性を低減できる。
【図面の簡単な説明】
【００１４】
【図１】この発明の第１実施形態のドラム式洗濯乾燥機の概略斜視図である。
【図２】上記ドラム式洗濯乾燥機の乾燥機能に関する概略構成の模式図である。
【図３】上記洗濯乾燥機の制御ブロック図である。
【図４】図１の給水弁およびその周辺部の拡大図である。
【図５】支持部材の概略斜視図である。
【図６】支持部材の概略上面図である。
【図７】上記ドラム式洗濯乾燥機の模式上面図である。
【発明を実施するための形態】
【００１５】
以下、この発明のドラム式洗濯機を図示の実施の形態により詳細に説明する。
【００１６】
〔第１実施形態〕
図１は、この発明の第１実施形態のドラム式洗濯乾燥機を前側の斜め上方から見た概略斜視図である。
【００１７】
上記ドラム式洗濯乾燥機は、外郭を成す外箱１を備える。この外箱１は、上面パネル１０１と、操作表示部１０２と、前面パネル１０３と、後面パネル１０４と、右側面パネル１０５Ａと、左側面パネル１０５Ｂ(図５に示す)と、底台１０６とで構成されている。
【００１８】
また、上記外箱１は、開口部１ａを前側に有している。より詳しくは、開口部１ａは、前面パネル１０３に設けられ、洗濯物５(図２に示す)が通過する。この前面パネル１０３には扉２１が回動可能に取り付けられており、開口部１ａは扉２１で開閉される。
【００１９】
上記操作表示部１０２は、開口部１ａ上に位置するように前面パネル１０３に取り付けられている。すなわち、操作表示部１０２は外箱１の前側上部に位置する。
【００２０】
また、上記操作表示部１０２の側方には、洗濯剤を収容可能な洗濯剤ケース５０が設けられている。ここで、上記洗濯剤とは、洗濯物５を洗ったり、すすいだりするときに、水槽２に供給する水に溶け込ます粉末剤または液材である。上記洗濯剤の具体例としては、洗剤、漂白剤、柔軟剤などがある。
【００２１】
図２は、上記ドラム式洗濯乾燥機の乾燥機能に関する概略構成を模式的に示す図である。
【００２２】
上記ドラム式洗濯乾燥機は、外箱１内に配置された水槽２と、この水槽２内に回転可能に配置され、洗濯物５を収容するドラム３と、このドラム３を回転駆動するドラム駆動用モータ４と、このドラム駆動用モータ４を制御する制御装置６０とを備えている。このドラム３の回転軸Ｊは、前側が後側よりも高くなるように、水平方向に対して傾斜している。また、水槽２およびドラム３は、それぞれ、扉２１側に向かって開口しており、扉２１を開くことで、ドラム３内に洗濯物５を入れたり、ドラム３内から洗濯物５を出したりすることが可能である。また、扉２１を閉じることで、水槽２内の気体および液体が前面パネル１０３の開口部１ａを介して外箱１に漏れ出ないようになる。すなわち、扉２１の閉鎖によって、水槽２の水密および気密を保つことが可能である。なお、回転軸Ｊは、水平方向に対して略平行であってもよい。
【００２３】
また、上記水槽２の上方には、外箱１の上部を形成する上面パネル１０１が配置されている。また、水槽２の前方には、外箱１の前部の大部分を形成する前面パネル１０３が配置されている。また、水槽２の後方には、外箱１の後部を形成する後面パネル１０４が配置されている。
【００２４】
また、上記外箱１内の上側空間における前後方向の略中央には、フィルタ３０を着脱可能に収納するフィルタ収納部４０が配置されている。このフィルタ収納部４０の吸気口４０ａは、第１空気循環ダクト２３を介して水槽２の排気口２２に接続されている。また、フィルタ収納部４０の排気口４０ｂは、第２空気循環ダクト２４を介して、加熱装置の一例としてのヒートポンプユニット１３に接続されている。このヒートポンプユニット１３は、外箱１内の下側空間の後側に配置されている。また、ヒートポンプユニット１３は、送風ダクト２６を介して水槽２の吸気口２５に接続されている。この送風ダクト２６のヒートポンプユニット１３側の部分には循環ファン１１が設けられている。
【００２５】
上記第１空気循環ダクト２３、フィルタ収納部４０、第２空気循環ダクト２４および送風ダクト２６で、ドラム３内から出た空気をドラム３内に戻すように案内する循環経路２０１を形成している。この循環経路２０１内をドラム３へ向かって流れる空気がヒートポンプユニット１３によって加熱される。また、循環ファン１１は上記循環経路２０１内の空気をドラム３内へ流す。
【００２６】
また、上記ドラム３の周壁部３ａには、水槽２とドラム３の間の空間と、ドラム３内の空間との間で、液体および気体の流通を可能にするための複数の貫通孔(図示せず)が形成されている。また、ドラム３の底部３ｂには水槽２の吸気口２５に連通する複数の空気導入孔(図示せず)が形成されている。これにより、ヒートポンプユニット１３から送風ダクト２６を経て供給される乾燥した加熱空気は、矢印Ｙで示すように、吸気口２５からドラム３内に導入される。
【００２７】
また、上記加熱空気はドラム３内に収容された洗濯物５から水分を奪って吸湿空気となる。この吸湿空気は、矢印Ｚで示すように、ドラム３の周壁部３ａの貫通孔から、ドラム３と水槽２の間の空間に抜けた後、水槽２の排気口２２から第１空気循環ダクト２３を介してフィルタ収納部４０に排気され、このフィルタ収納部４０から第２空気循環ダクト２４を通ってヒートポンプユニット１３に導入される。このとき、フィルタ３０が吸湿空気に含まれる糸くず等を捕獲する。すなわち、上記吸湿空気から糸くず等が分離されてフィルタ３０に残る。
【００２８】
上記ヒートポンプユニット１３は、蒸発器１０、圧縮機７、凝縮器８および膨張弁９を有する。この蒸発器１０、圧縮機７、凝縮器８、膨張弁９および冷媒配管１４が冷媒回路を構成し、圧縮機７で圧縮された冷媒が凝縮器８、膨張弁９および蒸発器１０をこの順で流れる。また、圧縮機７と凝縮器８の間の冷媒配管１４には、ヒートポンプユニット１３の状態を検知するための温度センサ１６が取り付けられている。
【００２９】
図３は上記洗濯乾燥機の制御ブロック図である。
【００３０】
上記ドラム式洗濯乾燥機は、マイクロコンピュータなどからなる制御装置６０と、外箱１外の通信端末(図示せず)と無線通信を行う直方体形状の無線通信装置８０とを備えている。この制御装置１００は、操作表示部１０２の操作部２０ａと温度センサ１６と無線通信装置８０となどからの信号に基づいて、ドラム駆動用モータ４と、循環ファン１１と、ヒートポンプユニット１３と、操作表示部１０２の表示部１０２ｂと、後述する第１,第２給水弁７３Ａ,７３Ｂと、排水弁４２となどを制御する。
【００３１】
上記排水弁４２は水槽２下に配置される。より詳しくは、水槽２内の水は排水経路(図示せず)によって外箱１外へ案内される。この排水経路に排水弁４２が設けられている。排水モータが排水弁４２を開けると、水槽２内の水は上記排水経路を介して外箱１外に流れ出る。一方、排水モータが排水弁４２を閉めると、水槽２内の水は外箱１外に流れ出なくなる。
【００３２】
上記無線通信装置８０は、図示しないが、アンテナと、無線通信回路を有する無線通信モジュールとを備え、配線を介して電源部に電気的に接続される。
【００３３】
図４は、図１の給水弁およびその周辺部を拡大した図である。なお、図４では上面パネル１０１の図示を省略している。
【００３４】
上記無線通信装置８０は、外箱１の上部を形成する上面パネル１０１と、水槽２との間に配置されている。より詳しくは、無線通信装置８０は、上面パネル１０１と水槽２の間の後側に位置するように、支持部材９０によって支持される。
【００３５】
上記支持部材９０は、例えば、ＰＰＳ（ポリフェニレンサルファイド）、ポリカーボネート樹脂、液晶ポリマー樹脂等の非金属材料を用いて、無線通信装置８０および給水装置７０を支持可能な形状に形成されている。この支持部材９０は、前端部９０ａが左側面パネル１０５Ｂおよび補強部材１１０に取り付けられる一方、後端部９０ｂが後面パネル１０４に取り付けられる。
【００３６】
上記補強部材１１０は、上面パネル１０１を補強するため、上面パネル１０１の内面に当接する。この補強部材１１０を前側から見たときの形状は逆Ｕ字形状になっている。また、補強部材１１０の右端は右側面パネル１０５Ａに固定されている。一方、補強部材１１０の左端は左側面パネル１０５Ｂに固定されている。
【００３７】
上記給水装置７０は、給水装置本体７１と、この給水装置本体７１の上部に設けられた接続口７２と、給水装置本体７１の後部に設けられた第１,第２給水弁７３Ａ,７３Ｂとを有している。この接続口７２はホース(図示せず)を介して水道の蛇口に接続される。また、給水装置本体７１は第１,第２給水ホース５１Ａ,５１Ｂを介して洗濯剤ケース５０に接続されている。これにより、水道水は接続口７２から給水装置本体７１内に流入した後、第１給水ホース５１Ａまたは第２給水ホース５１Ｂを介して洗濯剤ケース５０内に流入できるようになっている。より詳しくは、第１給水弁７３Ａが開閉することで、水道水が第１給水ホース５１Ａを流れたり、第２給水ホース５１Ｂに流れなかったりする。一方、第２給水弁７３Ｂが開閉することで、水道水が第２給水ホース５１Ｂを流れたり、第２給水ホース５１Ｂに流れなかったりする。すなわち、第１,第２給水ホース５１Ａ,５１Ｂ内の水道水の流れは第１,第２給水弁７３Ａ,７３Ｂによって制御される。
【００３８】
上記第１給水ホース５１Ａから洗濯剤ケース５０内に流入した水道水は、洗剤および漂白剤を収容する領域を通ってから、洗濯剤ケース５０外に出て、水槽２内へ向かう。これにより、上記洗剤および漂白剤のうちの少なくとも一方が上記領域にあれば、その少なくとも一方が水道水によって水槽２内に運ばれる。
【００３９】
一方、上記第２給水ホース５１Ｂから洗濯剤ケース５０内に流入した水道水は、柔軟剤を収容する他の領域を通ってから、洗濯剤ケース５０外に出て、水槽２内へ向かう。これにより、上記柔軟剤が上記他の領域にあれば、その柔軟剤が水道水によって水槽２内に運ばれる。
【００４０】
図５は、支持部材９０を前側の斜め上方から見た概略図である。また、図６は、支持部材９０を上方から見た概略図である。
【００４１】
上記支持部材９０は、図５,図６に示すように、給水装置７０が着脱可能に嵌合する開口部９０ｃを前端部９０ａに有する。
【００４２】
上記開口部９０ｃの周囲にはネジ穴９１Ａ,９１Ｂおよび貫通孔９２が設けられている。このネジ穴９１Ａ,９１Ｂに挿入されるネジ９４Ａ,９４Ｂ(図４に示す)を締め付けることにより、給水装置本体７１が支持部材９０の前端部９０ａに固定される。このとき、第１,第２給水弁７３Ａ,７３Ｂが支持部材によって間接的に支持される。また、貫通孔９２に挿通されるネジ９５(図４に示す)を締め付けることにより、支持部材９０の前端部９０ａが補強部材１１０に固定される。
【００４３】
また、上記支持部材９０は、無線通信装置８０が着脱可能に取り付けられる無線通信装置用凹部９０ｄを後端部９０ｂに有している。より詳しくは、無線通信装置用凹部９０ｄには無線通信装置８０が取り外し可能に嵌合する。このとき、外箱１の後部を形成する後面パネル１０４の近傍に無線通信装置８０が位置する。また、無線通信装置用凹部９０ｄの底部に設けられた一対の爪部９７Ａ,９７Ｂが無線通信装置８０の側面に係止する。すなわち、無線通信装置８０が無線通信装置用凹部９０ｄによって保持される。なお、無線通信装置用凹部９０ｄは保持部の一例である。
【００４４】
上記無線通信装置用凹部９０ｄの近傍には貫通孔９３が設けられている。この貫通孔９３に挿通されるネジ９６(図４に示す)を締め付けることにより、支持部材９０の後端部９０ｂが後面パネル１０４に固定される。
【００４５】
図７は、上記ドラム式洗濯乾燥機を上方から見た模式図である。なお、図７では、上面パネル１０１、水槽２などの図示を省略している。
【００４６】
上記無線通信装置８０は中心線Ｌよりも図中左側に位置する。一方、フィルタ３０は中心線Ｌよりも図中右側に位置する。別の言い方をすれば、外箱１の上部を形成する上面パネル１０１と、水槽２との間において、無線通信装置８０が左右方向の一方側に位置し、かつ、フィルタ３０が左右方向の他方側に位置する。ここで、中心線Ｌは、外箱１の左右方向の長さの中心を通る線である。
【００４７】
上記構成のドラム３式洗濯乾燥機によれば、上記扉２１を開閉するとき、扉２１の開閉による衝撃は、前面パネル１０３側で受けるよりも、後面パネル１０４側で受ける方が小さくて済む。したがって、上面パネル１０１と水槽２との間の後側に無線通信装置８０を配置することにより、扉２１の開閉による衝撃が原因で無線通信装置８０が故障する可能性を低減できる。
【００４８】
また、仮に、上記水槽２から水が漏れ出したとしても、その水は、重力により水槽２下へ流れ落ち、上面パネル１０１と水槽２との間へ流れない。したがって、無線通信装置８０が水槽２からの水に濡れる可能性は極めて低い。その結果、無線通信装置８０が水で故障する可能性を低減できる。
【００４９】
また、上記無線通信装置８０は、排水弁４２を開閉する上記排水モータから離れた位置にあるので、無線通信装置８０の通信に混じるノイズが少なくなる。したがって、外箱１外の通信端末と無線通信装置８０の間の通信の伝搬性能が低下するのを防ぐことができる。
【００５０】
また、上記ドラム３内の洗濯物５を乾燥する場合、高温の空気がフィルタ３０を通過する。このとき、上記外箱１の上部を形成する上面パネル１０１と、水槽２との間において、無線通信装置８０が左右方向の一方側に位置し、かつ、フィルタ３０が左右方向の他方側に位置することにより、無線通信装置８０とフィルタ３０の間の距離が遠くなる。したがって、無線通信装置８０が加熱されて故障するのを防ぐことができる。また、フィルタ３０を着脱するときの衝撃により無線通信装置８０が故障する可能性も低減できる。
【００５１】
また、上記支持部材９０が無線通信装置８０の保持部材を兼ねるので、製造コストの増大を防ぐことができる。
【００５２】
また、上記無線通信装置８０を後面パネル１０４の近傍に位置させることができるので、扉２１の開閉による衝撃が原因で無線通信装置８０が故障する可能性を確実に低減できる。
【００５３】
また、支持部材９０を非金属材料で構成することにより、外箱１外の通信端末と無線通信装置８０の間の通信の伝搬性能が低下するのを効果的に抑制することができる。
【００５４】
また、無線通信装置８０は無線通信装置用凹部９０ｄに着脱可能に取り付けられるので、メンテナンス性を向上させることができる。
【００５５】
上記第１実施形態では、洗濯物５を乾燥させる機能を有するドラム式洗濯乾燥機に、この発明を適用していたが、洗濯物５を乾燥させる機能を有さないドラム式洗濯機に、この発明を適用してもよい。
【００５６】
上記第１実施形態では、ドラム３の回転軸Ｊは、前側が後側よりも高くなるように、水平方向に対して傾斜していたが、水平方向に対して略平行になるようにしてもよい。
【００５７】
上記第１実施形態では、無線通信装置８０は、直方体形状であったが、他の形状(例えば立方体形状)にしてもよい。
【００５８】
上記第１実施形態では、非金属製の支持部材９０を用いていたが、この支持部材９０の換わりに、金属製の支持部材を用いてもよい。
【００５９】
上記第１実施形態では、水道水が接続口７２に供給されるようになっていたが、風呂水が接続口７２に供給されるようにしてもよい。
【００６０】
〔第２実施形態〕
この発明の第２実施形態のドラム式洗濯乾燥機は、ヒートポンプユニット１３の換わりに、抵抗加熱ヒータ(例えばシーズヒータ)を加熱装置の一例として備えた点だけだが、上記第１実施形態と異なる。
【００６１】
〔第３実施形態〕
この発明の第３実施形態のドラム式洗濯乾燥機は、無線通信装置８０とフィルタ３０の間に、耐熱性の仕切部材を設けた点だけが、上記第１実施形態と異なる。
【００６２】
以上のように、この発明の具体的な第１〜第３実施形態について説明したが、この発明は上記第１〜第３実施形態に限定されるものではなく、この発明の範囲内で種々変更して実施することができる。例えば、上記第１〜第３実施形態に記載した内容を適宜組み合わせたものを、この発明の一実施形態としてもよい。
【００６３】
すなわち、この発明および実施形態を纏めると、次のようになる。
【００６４】
この発明のドラム式洗濯機は、
開口部１ａを前側に有する外箱１と、
上記外箱１に取り付けられて上記開口部１ａを開閉する扉２１と、
上記外箱１内に配置された水槽２と、
上記水槽２内に回転可能に配置され、洗濯物５を収容するドラム３と、
上記外箱１外の通信端末と無線通信を行う無線通信装置８０と
を備え、
上記無線通信装置８０は、上記外箱１の上部と上記水槽２との間の後側に配置されることを特徴としている。
【００６５】
上記構成によれば、上記扉２１を開閉するとき、扉２１の開閉による衝撃は、外箱１の前部１０３側で受けるよりも、外箱１の後部１０４側で受ける方が小さくて済む。したがって、上記外箱１の上部と水槽２との間の後側に無線通信装置８０を配置することにより、扉２１の開閉による衝撃が原因で無線通信装置８０が故障する可能性を低減できる。
【００６６】
また、仮に、上記水槽２から水が漏れ出したとしても、その水は、重力により水槽２下へ流れ落ち、外箱１の上部と水槽２との間へ流れない。したがって、上記無線通信装置８０が水槽２からの水に濡れる可能性は極めて低い。その結果、上記無線通信装置８０が水で故障する可能性を低減できる。
【００６７】
ところで、通常、上記水槽２内の水を排水するための排水弁４２と、この排水弁４２を開閉する排水モータとが、水槽２下に配置される。このような場合、もし、無線通信装置８０が外箱１の下部と水槽２との間に配置されていたなら、排水モータに起因するノイズが無線通信装置８０の通信に混じる。こうなると、上記外箱１外の通信端末と無線通信装置８０の間の通信の伝搬性能が低下してしまう。
【００６８】
一実施形態のドラム式洗濯機は、
上記ドラム３内から出た空気を上記ドラム３内に戻すように案内する循環経路２０１と、
上記循環経路２０１内を上記ドラム３へ向かって流れる空気を加熱する加熱装置１３と、
上記循環経路２０１内の空気を上記ドラム３内へ流す循環ファン１１と、
上記循環経路２０１に設けられたフィルタ３０と
を備え、
上記外箱１の上部と上記水槽２との間の左右方向の一方側に、上記無線通信装置８０が位置し、かつ、上記外箱１の上部と上記水槽２との間の左右方向の他方側に、上記フィルタ３０が位置する。
【００６９】
上記実施形態によれば、上記洗濯物５を乾燥する場合、高温の空気が循環経路２０１内を流れる。このとき、上記高温の空気はフィルタ３０を通過するので、無線通信装置８０がフィルタ３０の近くにあると、無線通信装置８０が加熱されて故障する可能性がある。したがって、上記無線通信装置８０およびフィルタ３０が上述のように位置することにより、フィルタ３０から遠く離れた箇所に無線通信装置８０を配置でき、その結果、無線通信装置８０が加熱されて故障するのを防ぐことができる。
【００７０】
一実施形態のドラム式洗濯機は、
上記水槽２内への水の供給を制御する給水弁７３Ａ,７３Ｂと、
上記給水弁７３Ａ,７３Ｂを支持するための支持部材９０と
を備え、
上記支持部材９０には、上記無線通信装置８０が上記外箱１の後部１０４の近傍に位置するように、上記無線通信装置８０を保持する保持部９０ｄが設けられる。
【００７１】
上記実施形態によれば、上記支持部材９０が無線通信装置８０の保持部材を兼ねるので、製造コストの増大を防ぐことができる。
【００７２】
また、上記無線通信装置８０を外箱１の後部１０４の近傍に位置させることができるので、扉２１の開閉による衝撃が原因で無線通信装置８０が故障する可能性を確実に低減できる。
【００７３】
一実施形態のドラム式洗濯機では、
上記支持部材９０は非金属材料で構成される。
【００７４】
上記実施形態によれば、上記支持部材９０を非金属材料で構成することにより、外箱１外の通信端末と無線通信装置８０の間の通信の伝搬性能が低下するのを効果的に抑制することができる。
【００７５】
一実施形態のドラム式洗濯機では、
上記無線通信装置８０は上記保持部９０ｄに着脱可能に取り付けられる。
【００７６】
上記実施形態によれば、上記無線通信装置８０は上記保持部９０ｄに着脱可能に取り付けられるので、メンテナンス性を向上させることができる。
【符号の説明】
【００７７】
１  外箱
１ａ  開口部
２  水槽
３  ドラム
１１  循環ファン
１３  ヒートポンプユニット
２１  扉
２３  第１空気循環ダクト
２４  第２空気循環ダクト
２６  送風ダクト
３０  フィルタ
４０  フィルタ収納部
７３Ａ  第１給水弁
７３Ｂ  第２給水弁
８０  無線通信装置
９０  支持部材
９０ｄ  無線通信装置用凹部
１０３  前面パネル
１０４  後面パネル
２０１  循環経路
【図１】
0006389719.tif 000002
【図２】
0006389719.tif 000003
【図３】
0006389719.tif 000004
【図４】
0006389719.tif 000005
【図５】
0006389719.tif 000006
【図６】
0006389719.tif 000007
【図７】
0006389719.tif 000008